Podtech/llm-jp-corpus-v4-ja_patent huggingface dataset:
(57)【要約】【課題】従来は、ピンを引き抜かれる本体側にだけブザーが内蔵されているため、多様化する非常の局面に対し、十分に警報の効果を発揮しない可能性があった。これを解消するため、非常時にブザーを鳴らすためにピンを引き抜くと、引き抜いて分割した側、及び引き抜かれた本体側、２つの部位それぞれに内蔵されたブザーが同時に鳴り響く、携帯用の防犯ブザーを提供する。【解決手段】非常時にブザーを鳴らす際、分割側の紐９ｂを引くことによりピン２ａ、ピン２ｂが同時に引き抜かれ、本体側のブザー１ａに加えて、分割側のブザー１ｂが同時に鳴り響くようにする。【選択図】    図１
2006293955.tif 000002
【特許請求の範囲】
【請求項１】
本体側、及びピンを抜くと本体側から分割される側、その双方にブザーを内蔵する携帯用の防犯ブザー
【発明の詳細な説明】
【発明の詳細な説明】
【技術分野】
【０００１】本発明は、非常時にブザーを鳴らすためにピンを引き抜くと、引き抜いて本体から分割した側、及び引き抜かれた本体側、その双方に内蔵されたブザーが同時に鳴り響く、携帯用の防犯ブザーに関するものである。
【背景技術】
【０００２】従来、防犯ブザーはピンを引き抜かれる本体側にだけブザーが内蔵されていた。
【発明が解決しようとする課題】
【０００３】ピンを引き抜かれる本体側にだけブザーが内蔵されているため、多様化する非常の局面に対し、十分に警報の効果を発揮しない可能性があった。
具体的には以下のような事例が想定される。
（１）非常時に、ブザーが鳴る本体を身に付けていても、本人がそのまま車などで連れ去られた場合、現場に非常事態発生の痕跡を残せない可能性がある。
（２）一方、非常時に、ブザーの鳴る本体を犯罪者の手が届かないように放り投げると、本人が現場から連れ去られた場合、現場では警報音が鳴り響くものの、連れ去られた本人の近くでは警報音が鳴っていない状態となる。
【課題を解決するための手段】
【０００４】本発明は、その欠点をなくすために考えられた携帯用の防犯ブザーで、図を用いて説明すると、非常時にブザーを鳴らすために分割側の紐９ｂを引くことによりピン２ａ、ピン２ｂが同時に引き抜かれ、本体側のブザー１ａに加えて、分割側のブザー１ｂが同時に鳴り響くようにしたものである。
【発明の効果】
【０００５】以下の効果により、従来の防犯ブザーに比べて防犯性が大きく高まる。
・非常時にブザーが本体側と分割側の２箇所に分散して鳴るため、犯罪者にとってブザーの破壊、回収が困難となる。
・本人が現場から連れ去られた場合でも、現場に分割側ブザーが残って警報音が鳴っていれば、周囲に事件発生を早期に知らせることができる。
・２箇所で警報音が鳴ることにより、１箇所で鳴る場合と比べて、犯罪者に、より焦燥感を与える効果がある。
また付随する効果として、以下が挙げられる。
・ブザーが１つのものに比べて、総音量を大きくすることが容易になる。
・警報音の周波数をブザー毎に変えて設定すれば、ブザーが１つのものに比べて、周波数帯域が広がる分、周囲の人々による警報音認識の可能性が高まる。
・ブザーが２箇所にあるため、ブザーの不具合により鳴らないリスクが低減される。
【実施例１】
【０００６】本発明の実施例について、図１、図２を参照して以下に説明する。図において、本体側のケース５ａ内には、ブザー１ａ、電池収納部４ａ、及び前記両部品を結ぶリード３ａ、３ｂ、３ｃ、３ｄ、３ｅ等を収納し、ピン２ａは分割側のピン挿入口６ｂより差し込まれ分割側のリード３ｇを絶縁する。分割側のケース５ｂ内には、ブザー１ｂ、電池収納部４ｂ、及び前記両部品を結ぶリード３ｆ、３ｇ、３ｈ、３ｉ、３ｊ等を収納し、ピン２ｂは本体側のピン挿入口６ａより差し込まれ本体側のリード３ａを絶縁する。
また本体側、分割側それぞれ紐取り付け穴７ａ、７ｂをもち、ここにそれぞれ紐９ａ、９ｂが結ばれている。本体側の紐９ａは、鞄等に結び付けておくと良い。
次に動作を説明する。非常時にブザーを使用する場合、まず紐９ｂを引っ張る。そうすると、ピン挿入口に差し込まれたピン２ａ、２ｂが同時に引き抜かれ、絶縁されていたリード３ａ、３ｇが接触して、本体側のブザー１ａと、分割側のブザー１ｂが同時に吹鳴する。
【図面の簡単な説明】
【図１】  本発明の断面図である。
【図２】  本発明の斜視図である。
【符号の説明】
１ａ、１ｂ  ブザー
２ａ、２ｂ  ピン
３ａ〜３ｊ  リード
４ａ、４ｂ  電池収納部
５ａ、５ｂ  ケース
６ａ、６ｂ  ピン挿入口
７ａ、７ｂ  紐取り付け穴
８ａ、８ｂ  ブザー窓
９ａ、９ｂ  紐
【図１】
2006293955.tif 000003
【図２】
2006293955.tif 000004
(57)【要約】【課題】光学レンズの第１面と第２面を判別する識別手段を設ける。【解決手段】光学レンズの第１面 （1）または第２面（2）にレンズ外径に沿った同心円上の印（識別手段）3を設けることにより、第１面のRが近似の場合でも、一目で第１面と第２面が判別できる。【選択図】図１
2006293115.tif 000002
【特許請求の範囲】
【請求項１】
光学素子の第１面または第２面に該第１面及び第２面の判別用の識別手段を設けたことを特徴とする光学素子。
【請求項２】
前記識別手段は、凸部であることを特徴とする請求項１記載の光学素子。
【請求項３】
前記識別手段は、粗面であることを特徴とする請求項１記載の光学素子。
【請求項４】
光学素子の第１面及び第２面の判別用の識別手段が転写されるように光学素子成形型となる一対の上型、下型の成形面に位置する非光学機能面にマーキング形状が設けられたことを特徴とする光学素子成形用金型。
【請求項５】
前記マーキング形状は、凹部であることを特徴とする請求項4記載の光学素子成形用金型。 
【請求項６】
前記マーキング形状は、粗面であることを特徴とする請求項4記載の光学素子成形用金型。
【発明の詳細な説明】
【技術分野】
【０００１】
本発明は光学機器（例えば、デジタルカメラ、デジタルビデオなど）に使用されるガラスレンズ、光学素子成形用金型およびその製造方法に関するものである。
【背景技術】
【０００２】
従来からガラス材料を用いて精度よく精密成形を行い、光学レンズを製造する方法が多数提案かつ実施されている。光学レンズには球面レンズと非球面レンズがある。球面レンズは両面を研磨によって形成できる。一方、非球面レンズは研磨によって形成も可能であるが量産の場合には工数がかかるので精密成形を行う場合が多い。
【０００３】
上記球面レンズと非球面レンズを数枚から十数枚を使用し、デジタルカメラやデジタルビデオカメラでは、歪のない映像を映し出すことができる。鏡筒に光学レンズを組む場合において両面のＲ差が小さい場合にはレンズの第１面と第２面を間違えて組み込み易い。最近ではレンズの両面のＲ差が小さく設計される傾向にある。
【０００４】
なお、様々な収差（例えば非点収差やコマ収差）の方向を示すマークがレンズの有効径外に転写する技術は例えば、特許文献1、2に開示されている。
【特許文献１】特開平8-281819号公報
【特許文献２】特開2004-170480号公報
【発明の開示】
【発明が解決しようとする課題】
【０００５】
しかしながら第１面と第２面のR差が小さい光学レンズの場合には、鏡筒に光学レンズを組む場合において第１面と第２面を間違えるミスが起こり易くなったことが課題である。
【０００６】
本発明は、前記従来の課題を解決するもので、光学レンズの第１面と第２面のＲが近似しており、判別が難しい場合でも容易に判別することができる光学素子と、その光学素子を成型するための光学素子成形用金型を提供することを目的とする。
【課題を解決するための手段】
【０００７】
この課題を解決するために光学素子の第１面と第２面の判別を容易にする識別手段を提案する。その識別手段は光学素子の第１面または第２面の判別用として印を設けたものである。
【発明の効果】
【０００８】
本発明の光学素子は、光学素子の第１面と第２面のＲが近似しており、判別が難しい場合でも容易に判別することができる。これにより、効果として光学レンズユニットを組む際に第１面と第２面の判別を迅速に行い、判別ミスを無くすことで組立てミスの低減に繋がる効果がある。
【発明を実施するための最良の形態】
【０００９】
（実施の形態1）
以下、本発明の一実施例について図面に基づいて説明する。
【００１０】
本実施例１では第１面にR=10mmの非球面形状、第２面にR=12 mmの球面形状を持ったガラス非球面レンズを実施例とする。従来、上記非球面レンズの場合は両面のＲ差が小さいために第１面と第２面の判別が難しい。このため、本提案方法を用いることにより第１面と第２面の表裏判別が容易になる。
【００１１】
図１において光学レンズ第１面1にはレンズ外径に沿った同心円状の小さな凸部を有した判別用の印（識別手段）３を付けている。一方、第二面2には印（識別手段）３を付けていない。図１では第一面に印を設けたが、第一面は印なしで第二面に印をつけてもよい。
この印の付け方として、例えば成形型にあらかじめ印のもととなる溝（凹部）を設けておく。これを表わしたものが図２である。
【００１２】
図２の成形型（光学素子成形用金型）は、上型11、下型12、固定用型13とから構成されている。溝（凹部）14は上型の曲率の終端部となる部分であり、光学レンズの有効径外にマーキング形状として溝を設けている。今回は上型に溝を設けたが、下型に溝を設けてもかまわない。
【００１３】
この成形型を用いてガラスプリフォームを精密成形すると図１のような第１面と第２面が一目で判別できるような光学レンズが得られる。これにより両面のＲ差が小さくても第１面か第２面かを容易に判別可能となる。
【００１４】
（実施の形態2）
本実施例２では光学素子成形用金型として、 光学素子成形型となる一対の上型、下型の成形面に位置する光学機能面と非光学機能面との面粗さを変えたことを特徴とする。具体的には図３のように上型の非光学機能面フラット部15の面粗さを変えた成形型を用いてガラスの精密成形を行うことにより、非光学機能面フラット部15で成形した部分は図４のように転写面が眼で見て識別できるように粗面（識別手段）16となる。マーキング形状として粗面の程度はRmax 0.1μｍ程度あるいはそれ以上である。また仕上面は Rmax 0.04μm程度である。
【００１５】
以上から、光学素子の第１面か第２面かを容易に目視で判別できる。
【産業上の利用可能性】
【００１６】
以上のように、本発明の光学素子は、光学素子の第１面と第２面のＲが近似しており、判別が難しい場合でも容易に判別することができるので、デジタルカメラ、デジタルビデオなどの光学機器の光学レンズユニットを組む際に第１面と第２面の判別を迅速に行い、判別ミスを無くすことで組立てミスの低減に繋がる。
【図面の簡単な説明】
【００１７】
【図１】本実施例１の光学素子の正面図及び断面図
【図２】本実施例１の光学素子成形型の断面図
【図３】（A）は本実施例２の光学素子成形型の断面図（B）は同上型の斜視図
【図４】本実施例２の光学素子の正面図及び断面図
【符号の説明】
【００１８】
1    光学素子の第１面
2    光学素子の第２面
3    判別用の印（識別手段）
11    上型
12    下型
13    固定用型
14    判別印用の溝（マーキング形状）
15    成形型非光学機能面フラット部
16    判別用印（識別手段）
【図１】
2006293115.tif 000003
【図２】
2006293115.tif 000004
【図３】
2006293115.tif 000005
【図４】
2006293115.tif 000006
(57)【要約】【課題】  安全かつ確実に交通整理を行うための誘導灯および信号器具を提供する。【解決手段】  誘導灯を二色に色分けし、相対する通行者にそれぞれ異なる信号を送ることで、指示の混乱を防いだ。【選択図】      図４
2006293167.tif 000002
【特許請求の範囲】
【請求項１】
両面を色違いにすることで、両方向へ別の指示を示すことの出来る信号装置。
【請求項２】
中心に光源を有し、周りを透光性の容器で覆った誘導灯である。容器を色違いの二面に分け、二面へ別の信号を送ることが出来る信号装置。
【請求項３】
請求項２に記載される誘導灯であり、色の変わり目に遮蔽板を用いた信号装置。
【請求項４】
請求項２及び３に記載される誘導灯であり、従来の誘導灯との区別をつけるための目印を有する信号装置。
【発明の詳細な説明】
【技術分野】
【０００１】
交通整備に用いられる誘導灯に関する発明である。
【背景技術】
【０００２】
従来、交通整理を行う際には、臨時の信号機、誘導灯、手旗を用いて通行者に合図を送っていた。
【０００３】
既に発表されている発明には、LEDを用いて光の色を制御し、両面に信号を送る誘導灯がある。（特許文献１参照）
【特許文献１】特願２０００−２９６０５３
【発明の開示】
【発明が解決しようとする課題】
【０００４】
しかしながら、臨時の信号機は設置に手間がかかり、コストも高いため、いつでも利用できるというものではない。
【０００５】
また、誘導灯や手旗は指示の方法が統一されておらず、通行者から誤解を招きやすい。さらに、それらを使う場合は、誘導者の動作を目印とするため、通行者は他方向への指示を自らへの指示と混同することがあり、非常に危険といえる。
【０００６】
特許文献１のような発明も開示されているが、光学制御を使った複雑な構造を有するため、故障のリスクを含んでおり、コストもかかるため、あまり利用されていない。
【課題を解決するための手段】
【０００７】
そこで、誘導の際、合図の違いが確実に通行者に分かるよう、指示機の両面に異なる色を施した。
【発明の効果】
【０００８】
本発明を利用した場合、相対する通行者に異なる合図を送ることが出来、通行者による指示の誤認を防ぐことが出来る。
【０００９】
はっきりとした色を用いて信号を送るため、遠くから見ても視認が容易である。
【発明を実施するための最良の形態】
【００１０】
従来の誘導灯のように、光源９の周りを光透過性の材質で出来たカバー２で覆う。このカバーは二面に分けて色が異なっており、片方を通行可、もう片方は通行不可を表す信号を示す色とする。二面の境には遮蔽板３を設けることで、通行者が信号色を見分けやすくする。このカバーは光源の周りを回転するように作られており、磁石を使ったり、溝を付けたりすることによって１８０度回転して止まる仕掛けを有する。遮蔽板３を親指で回すことで、片手で容易にカバーを回転させることが出来る。
【００１１】
交通整理をする際、片側に通行可の信号を送っている間は、もう片側の通行者には通行不可の信号を送ることになる。遮蔽板３を親指で操作して、信号を逆転させることで指示の切り替えを実施する。
【００１２】
比較的長い区間を閉鎖して交通整理を行う場合、交通整理に必要な人員が二人以上になることが考えられる。その実施例を図７から図９で示す。誘導員１が通行不可の指示を出している時は、誘導員２に通行可の信号を示していることになる。誘導員１には、誘導員２から通行可の信号が見えるため、通行可の指示を出す目安になる。（図７）
信号の切り替えを行う際は、誘導員２が誘導灯を反転させ、通行不可を示す信号を通行者に示す。（図８）
誘導員１は、もう片側から通行可の信号が見えることを確認した後、安全を確認した上で、誘導灯を反転させて通行者に通行可の指示を示す。（図９）
以上を繰り返すことで、交通整理の支持の切り替えをすることが出来る。
【００１３】
尚、両端の誘導員の間が見通しの悪い場合、間に誘導灯を持った誘導員３を配置する。誘導員３が誘導員２から見える信号を中継することで、確実に両端の誘導員間の信号が伝わり、問題なく交通整理が実施できる。
【実施例１】
【００１４】
この発明のもっとも単純な形態は、二色に色分けした棒である。片面で通行可を示すと同時に、もう片面で逆方向の通行者に通行不可を示す。だが、それだけでは棒を見る角度によっては逆側の色も見えてしまうため、遮蔽板３を設けて信号の混同を防ぐ。また、信号を切り替える作業を容易に、確実にするために信号部分が柄から回転する構造にしてもよい。遮蔽板３や色分けされた部分は、光を反射する材質を用いることで視認性がよくなる。
【実施例２】
【００１５】
中心に光源を有した誘導灯の信号部分を二色に色分けする。片方は例えば青など通行可を示す色であり、もう片方は例えば赤など通行不可を示す色である。上記のように、遮蔽板３を設けたり、信号部分が柄から回転する構造にする等して利便を図る。
【実施例３】
【００１６】
回転構造を設けた際、任意の位置で確実に回転が止まるように、ストッパーを設けることも有効である。
【００１７】
光不透過性のカバーを用い、それに光を透過する窓をカバーの相対する場所に二つ用意する。その窓の色を塗り分けて、上記に示したように誘導灯として利用する。
【産業上の利用可能性】
【００１８】
交通整理の際の誘導灯および、信号手段として利用できる。
【図面の簡単な説明】
【００１９】
【図１】上部平面図
【図２】正面図
【図３】側面図
【図４】斜視図
【図５】底面図
【図６】断面図
【図７】操作第一段階図
【図８】操作第二段階図
【図９】操作第三段階図
【符号の説明】
【００２０】
１  頭頂部
２  光透過性の材質で出来たカバー
３  遮蔽板
４  回転支持部
５  握り台座
６  カバー取り付け回転装置
７  脱着装置
８  カバー吸着装置
８−１  カバー吸着装置
９  光源
【図１】
2006293167.tif 000003
【図２】
2006293167.tif 000004
【図３】
2006293167.tif 000005
【図４】
2006293167.tif 000006
【図５】
2006293167.tif 000007
【図６】
2006293167.tif 000008
【図７】
2006293167.tif 000009
【図８】
2006293167.tif 000010
【図９】
2006293167.tif 000011
(57)【要約】【課題】  静止画また動画による広告をより効果的に行う広告システムを提供する。【解決手段】  大型透過型スクリーンの背面から映像コンテンツを投影する機能を持つ広告ビジネスを行うための装置によって，広告コンテンツを投影して行う広告ビジネスを可能とするシステムを提供する。  映像コンテンツは，建物内外や移動体に設置した大型透過型スクリーンに装置から直接投射するシステムと無線または有線のインターネットを経由して遠隔地から管理するシステムにより提供する。【選択図】      図５
2006293250.tif 000002
【特許請求の範囲】
【請求項１】
大型透過型スクリーンの背面から映像コンテンツを投影し，同時に音響装置と同期して臨場効果を出す機能を持つ広告ビジネスを行うための装置によって，広告コンテンツを投影して行う広告ビジネスシステムを提供する。これを実現するシステムとして，ガラス張りビル等の壁面にスクリーンを設置して，背面から映像コンテンツを投影して，屋外から見るタイプと，ビルの内部で見るタイプの２種類のシステムを提供する。
【請求項２】
大型トレーラのボックス内壁に，ガラス平板を置き，それに大型透過型スクリーンを貼り付けて，ボックス内に設置した投影システムから広告コンテンツを投影し，外部から見る形式の広告表示システムを提供する。
【請求項３】
各地に設置した投影装置に有線インターネット経由でコンテンツを伝送するシステムを構成し，ビル内外に常設した装置に放映するコンテンツを遠隔地から管理するシステムを提供する。また各地のボックスに設置した移動形投影装置に対してコンテンツを送る場合は，無線インターネットを用いて行うシステムを提供する。
【発明の詳細な説明】
【技術分野】
【０００１】  この発明は，大型透過型スクリーンの背面から映像コンテンツを投影する機能を持つ広告ビジネスを行うための装置によって，広告コンテンツを投影して行う広告ビジネスを可能にするシステムに関する。
【背景技術】
【０００２】  現在の広告メディアとしては，ＴＶ，ラジオ，新聞，インターネット，折込チラシ，紙広告など多様化している。街頭広告においては，駅などできれいな静止画を表示したり，解像度はよくないが動画の大型ディスプレイがある。
【発明の開示】
【発明が解決しようとする課題】
【０００３】  静止画また動画による広告をより効果的に行う広告システムを提供する。
【課題を解決するための手段】
【０００４】  大型透過型スクリーンの背面から映像コンテンツを投影する機能を持つ広告ビジネスを行うための装置によって，広告コンテンツを投影して行う広告ビジネスを可能とするシステムを提供する。【０００５】  上記を実現するために，ガラス張りビル等の壁面にスクリーンを設置して屋外から見るタイプと，ビルの内部で見るタイプの２種類のシステムを提供する。【０００６】  移動広告システムを実現する例として大型トレーラのボックスに投影システムを設置し，移動式無線表示システムを提供する。【０００７】  各地に設置した投影装置に有線インターネット経由でコンテンツを伝送するシステムを構成し，ビル内外に常設した装置を遠隔地からそのコンテンツを管理するシステムを提供する。【０００８】  各地の移動装置に設置した投影装置に対してコンテンツを送る場合は，無線インターネットを用いて行うシステムを提供する。
【発明の効果】
【０００９】  大型透過型スクリーンは薄いシートであるため，扱いやすくどこにでも簡単に設置することができる。ここに関連して，透過型では明るい戸外でも視認できる。しかも透視型は反射型に比べて前面には何も置かないのでエレガントなデザインが可能である。【００１０】  投影装置を遠隔地からもインターネットを経由して制御できるため，映像コンテンツの管理が容易である。【００１１】  この発明により多様な映像コンテンツを投影でき，広告効果が非常に大きい。
【発明を実施するための最良の形態】
【００１２】  本発明は図１に示すように映像コンテンツをパソコンからプロジェクタを通して大型透過型スクリーンに投射して利用できる。
【実施例】
【００１３】  ガラス張りビル等の壁面に大型透過型スクリーンを設置して屋外から広告を見ことができる。【００１４】  ガラス張りビル等の壁面に大型透過型スクリーンを設置して屋内で広告を見ことができる。【００１５】  大型トレーラの荷台のボックスに投影システムを設置し，屋外，戸外でも移動式広告が見られる。【００１６】  各地に設置した投影装置に遠隔地から有線インターネット経由で映像コンテンツを伝送して広告を見られるようにする。【００１７】  各地の移動体に設置した投影装置に遠隔地から無線インターネット経由で映像コンテンツを伝送して広告を見られるようにする。
【産業上の利用可能性】
【図面の簡単な説明】
【図１】  大型透過型スクリーンを用いた広告システムを示した図である。
【図２】  ビル等の壁面に大型透過型スクリーン設置した広告システムを示した図である。
【図３】  大型トレーラの荷台のボックスに大型透過型スクリーン設置した広告システムを示した図である。
【図４】  遠隔地に投影装置を設置して有線インターネット経由でコンテンツを管理する広告システムを示した図である。
【図５】  遠隔地の移動体に投影装置を設置して無線インターネット経由でコンテンツを管理する広告システムを示した図である。
【符号の説明】
１  大型透過型スクリーン
２  パソコン
３  プロジェクタ
４  大型トレーラ
５  インターネット
６  サーバ
【図１】
2006293250.tif 000003
【図２】
2006293250.tif 000004
【図３】
2006293250.tif 000005
【図４】
2006293250.tif 000006
【図５】
2006293250.tif 000007
(57)【要約】【課題】  従来の縦笛は、指先で複数の開口部をふさいで、内部の風道の抵抗を変えて音を鳴らす構造のため、楽譜を見ながら指先を器用に動かす必要があり、間違えずに曲を演奏するのが難しかった。また障害者や指の短い子供達が吹くのは容易でなかった。本発明は、縦笛にあらかじめ曲にあわせて複数の開口部、または複数の突起のついた円板を装備しているため、円板を回すことにより容易に内部の風道への抵抗が変わり簡単に曲が吹けるように構成された縦笛である。【解決手段】  本発明の縦笛は、楽譜通りに曲が吹けるように、音符に合わせて円板に複数の開口部または複数の突起をつけておき、円板が回ることにより、内部の風道にある複数の開口部または複数の突起の位置が変化していき風道の長さや形状が変わることにより音が変化していき、容易に曲が吹けるようにしたものである。【選択図】  図１
2006293251.tif 000002
【特許請求の範囲】
【請求項１】
風を送り込む送風口と、その送風口からの風を発音部に向けて案内する風道を有する縦笛において、複数の開口部、または複数の突起のついた円板状の演奏用円板を装備し、円板を回すことにより風道が変化し、音が変わることを特徴とする演奏装置。
【請求項２】
円板状の側面に滑り止めのゴムを付け、手で回す時に滑らない様にする事を特徴とし、また、円板を取り替えることにより違う曲を吹くこともできる。
【請求項３】
円板を回すために、円板に取っ手を付け、その取っ手を動かす事により、円板が回転する事を特徴とする。
【発明の詳細な説明】
【技術分野】
【０００１】本発明は、縦笛に関するものである。
【背景技術】
【０００２】  縦笛として広く知られている、通常のリコーダーは管体に８個の音孔が開設されており、健常者が演奏する場合には、左手の親指、人差し指、中指、薬指と、右手の人差し指、中指、薬指、小指の８本の各指で各開口部を操作するようになっている。これらは、風道の複数の開口部を、指でふさぐことにより、内部の風道への抵抗が変化し、音が変わる構造になっているが、自由に曲を演奏するには熟練技術が必要であり、容易に演奏することができない。
【発明の開示】
【発明が解決しようとする課題】
【０００３】  従来の縦笛は、指先で複数の開口部をふさいで、内部の風道への抵抗を変えて音を鳴らす構造のため、楽譜を見ながら指先を器用に動かす必要があり、間違えずに曲を演奏するのが難しかった。また障害者や指の短い子供達が吹くのは容易でなかった。本発明は、縦笛にあらかじめ曲にあわせて複数の開口部、または複数の突起のついた円板を装備しているため、円板を回すことにより容易に内部の風道への抵抗が変わり簡単に曲が吹けるように構成された縦笛である。
【課題を解決するための手段】
【０００４】  本発明の縦笛は、楽譜通りに曲が吹けるように、縦笛に複数の開口部または複数の突起の付いた円板を装着し、円板が回ることにより、送風口から内部の風道に風を送り、手で回すことにより、複数の開口部または複数の突起の位置が変化していき、風道の長さや形状が変わることにより音が変化し、容易に曲が吹けるようにしたものである。【０００５】  また、複数の開口部や複数の突起は開口部をスライド式の扉にする事により自分で調整することもでき、円板を取り替えることにより別の曲を吹くことができる。それにより、手の不自由名な障害者や、小さな子供でも容易に吹く事ができ、楽しく楽器を演奏する事ができる。
【発明の効果】
【０００６】  本発明の縦笛は複数の開口部または複数の突起を利用することにより容易に曲が吹けるようになっており、また複数の開口部または複数の突起の位置を変えることにより、オリジナルの曲を作曲できるため、障害者や、指の短い子供達も音楽や縦笛に興味を持ちやすくなり、縦笛がしたしまれる存在になる効果が期待される。
【発明を実施するための最良の形態】
【０００７】  以下、本発明の実施形態を添付図を参照して説明する。図１〜３に示すように、本発明は、風道３に円板４が、軸６により固定されており、軸６は軸固定金具５で固定されている。円板４は軸６を中心に垂直に回ることができる。円板４は、風道３に対して斜めに取り付けられており、送風口１から送風された風に、発音部２に近い位置から遠い位置まで広い長さで風道３に干渉している。【０００８】  そして、円板４には複数の開口部７が開いており、円板４の回転により風道３に干渉する開口部７が変化していく。曲に合わせて開口部７を開けておくことにより、円板４を回転させることにより、風道３に干渉している開口部７の位置が変わり音が変わっていく。【０００９】  また、円板４の開口部７は、たとえばスライド式の開閉扉にすることにより音を自分で調整することができるようになり、オリジナルの曲を作曲することもできる。【００１０】  また、円板４は取り替えることができ、取り替えることにより違う曲が吹けるようになる。【００１１】  図４は別の実施例を示している。円板４の取り替えをしやすいように縦笛に取り付けられた円板４の上には風道３はなく、簡素な形状で本発明を実現できる。円板４は軸６を中心に可動することができ、軸固定金具５は、ネジ山をもうけるなどで容易に取り外しができるように固定されている。【００１２】  図５は円板８上に突起９がある場合の実施例である。円板８に取り付けられた突起は、円板８が回転することにより、風道３に儲けられた風道開口部を移動し、それにより風道３の長さが変わるため音が変化していく。【００１３】  風道３には突起９の通り道に風道開口部１０が設けられており、その風道開口部１０は可動できるゴムやプラスチックなどで風道３に抵抗が無い様に設置されている。その可動できるゴムやプラスチックは円板８に取り付けられた突起が通過する時に押し曲げられて可動する。可動したゴムまたはプラスチックは、突起９と共に、風道３に干渉し、風道３に通る風の長さを変化させる。突起９の通過後、可動できるゴムやプラスチックは、元の位置に戻り風道３に干渉しない。【００１４】円板８に取り付けられている突起９は、ネジなどで固定されており、容易に場所を変えることができる。
【産業上の利用可能性】
【００１５】縦笛に取り付けた円板を用いて容易に曲が吹ける事ができ、かつ、自分で、曲を作曲する事ができるので、用途に合わせて曲をかえ、合図や識別などにも適用できる。
【図面の簡単な説明】
【００１６】
【図１】この発明の円板つき縦笛を示す斜視図である。
【図２】実施例を示す側面断面図である。
【図３】実施例を示す円板の形状例である。
【図４】別の実施例を示す斜視図である。
【図５】別の実施例を示す側面断面図である。
【符号の説明】
【００１７】１・・送風口
２・・発音部
３・・風道
４・・円板
５・・軸固定金具
６・・軸
７・・開口部
８・・円板
９・・突起
１０・・風道開口部
１１・・取っ手
１２・・ゴム
【図１】
2006293251.tif 000003
【図２】
2006293251.tif 000004
【図３】
2006293251.tif 000005
【図４】
2006293251.tif 000006
【図５】
2006293251.tif 000007
(57)【要約】      （修正有）【課題】病室の入り口近傍に設けたその病室に入院している患者の氏名表示において、新たな設備投資を最小限に抑え、患者のプライバシーを尊重する表示方法を提供する。 【解決手段】表示板と名札と偏光フィルムからなり、前記名札を取り付ける取付手段を前記表示板に設け、前記表示板に前記名札を取付かつ前記偏光フィルムを名札に装着し、名札に記された患者名を隠蔽する。【選択図】図１
2006293208.tif 000002
【特許請求の範囲】
【請求項１】
病院等で表示される患者名の表示方法であって、
表示板と名札と偏光フィルムからなり、
前記名札を取り付ける取付手段を前記表示板に設け、
前記表示板に前記名札を取付、かつ前記偏光フィルムを名札に装着し、
名札に記された患者名を隠蔽することを特徴とする表示方法。
【発明の詳細な説明】
【技術分野】
【０００１】
病院等で表示される患者名の表示方法
【背景技術】
【０００２】
病室の入り口近傍に、その病室に入院している患者の氏名が表示されていることがある。  しかしながら昨今はプライバシーを尊重する意味で患者名を必要以上に表示しないようになされる場合がある。
【特許文献１】特開2004-094764
【発明の開示】
【発明が解決しようとする課題】
【０００３】
ところで、開示した技術は隠蔽のために新たな設備投資が必要である。そこで、本発明は新たな設備投資を最小限に抑え、患者のプライバシーを尊重する表示の方法を提案することを課題とする。    
【課題を解決するための手段】
【０００４】
表示板と名札と偏光フィルムからなり、
前記名札を取り付ける取付手段を前記表示板に設け、
前記表示板に前記名札を取付かつ前記偏光フィルムを名札に装着し、
名札に記された患者名を隠蔽する。
【発明の効果】
【０００５】
偏光フィルムにより表記されて氏名が隠蔽されるので患者のプライバシーが守られる。  
【発明を実施するための最良の形態】
【０００６】
表示板と名札と偏光フィルムとで構成する。
【０００７】
表示板は壁等に取り付けられる。
表示板には患者の氏名等が記された名札が取り付けられるように取付手段が設ける。
取付手段は溝状のものを形成し名札を挟み込むようにすればよい。
【０００８】
名札は板状のもので、表示手段の溝に嵌るようにする。名札の表面には患者の氏名等を記す。        
【０００９】
偏光フィルムは、一般的にハーフミラーと呼ばれるものが使用できる。        
【００１０】
以上の表示板と名札と偏光フィルムを壁側から、表示板、名札、変更フィルムの順に配する。    
【図面の簡単な説明】
【００１１】
【図１】・・・本発明の表示方法
【図１】
2006293208.tif 000003
(57)【要約】【課題】  眼鏡の鼻当てに汚れが付着し難くする。【解決手段】  眼鏡１０において、ブリッジ１２により一対のレンズ１１を連結する。ブリッジ１２に鼻当て支持部材を設け、鼻当て１５を保持する。鼻当て１５の肌に接する面、または、鼻当て１５の全面に被膜処理を施す。被膜処理に、フッ素系樹脂、燐酸、チタン酸、珪酸、フッ素の少なくも１つを用いる。これにより、鼻当て１５には防汚処理が施され、例えば化粧をしたまま眼鏡を着脱する場合にも、化粧の一部が鼻当てに付着することを防止する。【選択図】        図１
2006293076.tif 000002
【特許請求の範囲】
【請求項１】
眼鏡の鼻当てであって、前記鼻当ての少なくとも肌に接する面に防汚処理が施され、前記防汚処理にフッ素系樹脂、燐酸、チタン酸、珪酸、フッ素の少なくとも１つが用いられることを特徴とする眼鏡の鼻当て。
【請求項２】
前記防汚処理が、前記鼻当てへの被膜処理により行われることを特徴とする請求項１に記載の眼鏡の鼻当て。
【請求項３】
前記鼻当ての少なくとも肌に接する面を、フッ素系樹脂、燐酸、チタン酸、珪酸の少なくとも１つを含む材料から成型することにより前記防汚処理が行われることを特徴とする請求項１に記載の眼鏡の鼻当て。
【請求項４】
前記防汚処理が、前記鼻当てに接着されるパッドに施されたことを特徴とする請求項１に記載の眼鏡の鼻当て。
【請求項５】
請求項１〜請求項４の何れか一項に記載の鼻当てを使用した眼鏡。
【発明の詳細な説明】
【技術分野】
【０００１】
本発明は、眼鏡の鼻当てに関するものである。
【背景技術】
【０００２】
従来眼鏡のずり落ちを防止するために、鼻当てに滑り止め処理を施したものが知られている（特許文献１）。また、アレルギー対策として、鼻当ての材料に非アレルギー材を使用するものがある（特許文献２）。
【特許文献１】特開２００５−０７０１２６号公報
【特許文献２】特開平０５−２２４１６１号公報
【発明の開示】
【発明が解決しようとする課題】
【０００３】
従来鼻当ての滑りを防止する目的や、アレルギー対策のための対策は試みられているが、鼻当ての汚れ防止に関し対策を施したものは知られていない。例えば、化粧をしたまま眼鏡の着脱を行う場合、化粧の一部が鼻当てに付着し、化粧が台無しになってしまうこととがある。また、鼻当ては、付着した化粧により汚れてしまうという問題がある。特に、眼鏡の販売店等において、化粧をした客が眼鏡の枠の品定めでいろいろな眼鏡の枠を試すと、試した眼鏡の鼻当てに化粧が付着して汚れてしまうという問題がある。
【０００４】
本発明は、上記問題に鑑みてなされたものであり、汚れが付着し難くい眼鏡の鼻当てを提供することを課題としている。
【課題を解決するための手段】
【０００５】
本発明の眼鏡の鼻当ては、鼻当ての少なくとも肌に接する面に防汚処理が施され、この防汚処理にフッ素系樹脂、燐酸、チタン酸、珪酸、フッ素の少なくとも１つが用いられたことを特徴としている。
【０００６】
また、防汚処理は、例えば鼻当てへの被膜処理により行われる。また、鼻当ての少なくとも肌に接する面を、フッ素系樹脂、燐酸、チタン酸、珪酸の少なくとも１つを含む材料から成型して、防汚処理を行ってもよい。また鼻当てにパッドを接着する場合には、接着されるパッドに上記防汚処理を施してもよい。
【０００７】
本発明の眼鏡は、上記各防汚処理を施した鼻当てを使用したことを特徴としている。
【発明の効果】
【０００８】
以上のように、本発明によれば、汚れが付着し難くい眼鏡の鼻当てを提供することができる。
【発明を実施するための最良の形態】
【０００９】
以下、本発明の実施の形態を、図面を参照して説明する。
図１は、本発明の一実施形態である鼻当てが用いられた眼鏡の斜視図である。
【００１０】
眼鏡１０において、一対のレンズ１１はフレームによって保持される。本実施形態では、縁なし眼鏡フレームが例示されており、２つのレンズ１１は、ブリッジ１２によって連結される。また、レンズ１１は、ヨロイ１３を介してツル１４に連結される。またブリッジ１２には、眼鏡１０の鼻当て１５を保持するための鼻当て支持部材１６が設けられる。
【００１１】
図２および図３は、図１の鼻当て１５の拡大図であり、図２はその正面図、図３はその頂面図である。
【００１２】
鼻当て１５には、汚れの付着を防止するための処理が施される。例えば、本実施形態では、鼻当て１５の全体に汚れを防止するための被膜処理が施されている。防汚処理用の被膜には、例えば、フッ素系樹脂被膜や、燐酸、チタン酸、珪酸からなる被膜、フッ素被膜、あるいはそれらを複合した被膜が用いられる。
【００１３】
また、被膜処理等を用いた防汚処理は、鼻当て１５の肌に接する面１５Ａにのみ施されていてもよい。また、鼻当て１５自体や鼻当て１５の面１５Ａを含む一部を、フッ素系樹脂、燐酸、チタン酸、珪酸等からなる材料やこれらの複合物を利用した材料から成型してもよい。また、鼻当て１５全体や、面１５Ａのみにパッド（例えばシリコーン樹脂等の樹脂製品）を装着し、このパッドに防汚処理を施してもよい。
【００１４】
以上のように本実施形態によれば、鼻当てに化粧等の汚れが付着することを防止できるので、化粧をしたまま眼鏡を着脱しても、化粧の一部が鼻当てに付着することが極めて少なく、美しい化粧を維持できるともに、不特定多数の人が利用する眼鏡販売店等においても、鼻当てを清潔かつ綺麗に長時間維持することができる。
【図面の簡単な説明】
【００１５】
【図１】本実施形態の眼鏡の全体図である。
【図２】鼻当ての正面図である。
【図３】鼻当ての頂面図である。
【符号の説明】
【００１６】
１０  眼鏡
１１  レンズ
１２  ブリッジ
１３  ヨロイ
１４  ツル
１５  鼻当て
１５Ａ  鼻当ての肌に接する面
１６  鼻当て支持部材
【図１】
2006293076.tif 000003
【図２】
2006293076.tif 000004
【図３】
2006293076.tif 000005
(57)【要約】【課題】部品点数が少なく電柱等の高い場所でも簡単、迅速に無反射処理作業が行なえるようにする。【解決手段】一方に挿入口７を有し、内部に屈折率整合剤９が充填された有底状のキャップ３と、前記キャップ３の挿入口７から終端部が挿入された光ファイバ１ａと、前記光ファイバ１ａとキャップ３とを一体に結合保持する結合保持手段５の２部品で構成する。【選択図】図１
2006293020.tif 000002
【特許請求の範囲】
【請求項１】
一方に挿入口を有し内部に屈折率整合剤が充填された有底状のキャップと、前記キャップの挿入口から終端部が挿入された光ファイバと、前記光ファイバとキャップとを一体に結合保持する結合保持手段とから成ることを特徴とする光ファイバ終端部の無反射処理構造。
【請求項２】
前記結合保持手段は、一方の面が接着面に形成された封止シートであることを特徴とする請求項１記載の光ファイバ終端部の無反射処理構造。
【発明の詳細な説明】
【技術分野】
【０００１】
本発明は光ファイバ終端部の無反射処理構造に関する。
【背景技術】
【０００２】
一般に光ファイバの終端部にあっては、そのままにしておくとフレネル反射が起こり、それがノイズ等の悪影響につながるところから無反射処理が行なわれる。
【０００３】
無反射処理の概要は、例えば、光ファイバの終端被覆部を露出させたガラス部をホットメルト接着剤によりモールドし、そのモールドした領域に沿って折れ曲りを防ぐ芯材となる鋼心が配置され、それら全体が熱収縮チューブによってカバーされる構造となっている。
【特許文献１】特開平４−１０２８０５号公報
【発明の開示】
【発明が解決しようとする課題】
【０００４】
光ファイバ終端部の無反射処理は、地上の光配線盤の中や、あるいは空中の光クロージャ内で行われる。特に後者の場合、一般に電柱等の高所作業となるため、その作業にあたって部品点数が少ないことと、工具等の手段を用いることなく処理作業が簡単，迅速に終了することが求められるが、従来手段にあってはガラス部をホットメルト接着剤によりモールドする作業が大変面倒であること、また、モールド領域の折れ曲りを防ぐ鋼心を用いるため部品点数が増えることに加えて熱収縮チューブを収縮させる加熱手段が必要となる等の問題を有する。
【０００５】
そこで、本発明にあっては、部品点数が少なく作業環境の悪い電柱等の高い場所でも簡単、迅速に無反射処理作業が行なえるようにすることを目的とする。
【課題を解決するための手段】
【０００６】
前記目的を達成するために、本発明にあっては、一方に挿入口を有し内部に屈折率整合剤が充填された有底状のキャップと、前記キャップの挿入口から終端部が挿入された光ファイバと、前記光ファイバとキャップとを一体に結合保持する結合保持手段とから成ることを特徴とする。
【発明の効果】
【０００７】
本発明の光ファイバ終端部の無反射処理構造によれば、光ファイバの終端部を挿入口からキャップ内へ挿入した後、結合保持手段によってキャップと光ファイバとを包み込むようにして一体に結合することで簡単、迅速に作業が終了することができる。
【０００８】
また、部品点数は、キャップと結合用の結合保持手段の２部品で済むようになる。
【発明を実施するための最良の形態】
【０００９】
本発明にあっては、結合保持手段を、一方の面が接着面に形成されたフレキシブルな樹脂製の封止シートとし、接着面によってキャップと光ファイバ終端部とを簡単，迅速に接着結合が行なえるようにする。
【実施例】
【００１０】
以下、図１乃至図５の図面を参照しながら本発明の実施形態について具体的に説明する。
【００１１】
図１は光ファイバ終端部の無反射処理構造を示した概要切断説明図。
【００１２】
図２は図１のＡ−Ａ線断面図、図３は図１の分解図であって、１は光ファイバ心線，３はキャップ，５は封止シートをそれぞれ示している。
【００１３】
光ファイバ心線１は光ファイバ１ａに被覆材１ｂが施された形状となっていて、単芯、あるいは、複芯いずれでもよく、その終端部は光ファイバ１ａが露出し、前記キャップ３内に挿入されている。
【００１４】
キャップ３は、前記光ファイバ１ａが挿入される挿入口７を一方に有し、有底状の円筒形状となっている。この場合、偏平形状であってもよい。キャップ３の材質は合成樹脂となっているが、ゴム製であっても可能である。キャップ３の内部には、反射を抑える市販の屈折率整合剤９（例えば、商品名：シンエツシリコーン）が充填されている。屈折率整合剤９は挿入口７から容易に漏れ出ることのない粘性の高いゲル状の性状となっていて高い場所でもキャップ３の維持・管理及び持ち運びが容易となっている。
【００１５】
樹脂製の封止シート５は、一方の面が粘着性の接着剤が塗布された接着面５ａに形成され、キャップ３全体及び光ファイバ心線１の終端領域を覆う広さのシート形状となっている。封止シート５の接着面５ａには剥離紙１１が貼られていて、高い場所でも剥離紙１１を剥がし粘着面に露出させることで簡単に使用できるようになっている。
【００１６】
この場合、封止シート５はキャップ３と光ファイバ心線１の確実な結合状態を確保する手段となっていればよく、必ずしも広い面積のものでなくてもよい。例えば、キャップ３の挿入口７領域をカバーするテープ状の形状とすることも可能である。
【００１７】
また、封止シート５にかえて、例えば、図６に示すようにキャップ３の挿入口７を全周面にわたってクリップ１３で挟みつけるクリップタイプのものであってもよい。
【００１８】
このように構成された光ファイバ終端部の無反射処理構造によれば、キャップ３及び封止シート５を高い作業場所であっても容易に持ち運べるようになる。しかも、２点部品で済むようになる。また、剥離紙１１を取外した後、図５に示すように接着面５ａの上にキャップ３及び光ファイバ心線１をセットすることで封止シート５の使用が可能となり、キャップ３と光ファイバ心線１とを確実に結合支持することができる。
【００１９】
結合完了後の封止シート５は、図示していない光ファイバ心線制御ケース内、光クロージャ内、あるいは光配線盤内等に配置され、直接風雨等に晒されることがないため、簡単な手段で長期間にわたり安定した結合状態の保持が可能となる。
【図面の簡単な説明】
【００２０】
【図１】本発明にかかる光ファイバ終端部の無反射処理構造を示した概要切断説明図。
【図２】図１のＡ−Ａ線切断面図。
【図３】図１の分解斜視図。
【図４】接着面から剥離紙を途中まで剥がした封止シートの説明斜視図。
【図５】動作説明図。
【図６】クリツプによってキャップと光ファイバとを結合した別の実施形態を示した説明図。
【符号の説明】
【００２１】
１    光ファイバ心線
１ａ    光ファイバ
３    キャップ
５    封止シート（結合保持手段）
５ａ    接着面
７    挿入口
９    屈折率整合剤
【図１】
2006293020.tif 000003
【図２】
2006293020.tif 000004
【図３】
2006293020.tif 000005
【図４】
2006293020.tif 000006
【図５】
2006293020.tif 000007
【図６】
2006293020.tif 000008
(57)【要約】【課題】  従来の携帯電話を使った優待情報配信システムは効果的でない上、利用者にとっては能動的な情報の収集設定ができてないこと、また商品購入や注文システムについても専用機械やスキャナーによるバーコードなどの読み込みとなって不便であること、そして情報検索サイトは、利用者・加入者にとって利用効果が薄いという点がある。【解決手段】  特売優待情報は、一般消費者側、各店舗側から各々条件を設定でき、管理画面も携帯電話で簡単に更新できようにした。注文システムは、専用端末を利用せずに、顧客である利用者側の携帯端末を利用するだけのシステムになっている。情報検索は、参照元が一番に表示され、同業他社は表示されないようなシステムにした。【選択図】図１
2006024172.tif 000002
【特許請求の範囲】
【請求項１】
携帯電話を使い、優待情報や特売情報などを顧客が収集するにあたり、必要な条件設定をすることで不要な情報を削除し、必要なもののみ受け取ることを可能にしたシステムで、配信側にとってもその条件設定にあわせ顧客宛情報を選別して携帯電話へ配信することを可能にしたサーバーシステム
【請求項２】
商品アイテムに独自コードを使った形式での読取装置などは使わずに、顧客の所有する携帯電話のＷｅｂ機能を使うことで商品や店のメニューを注文し、勘定集計等も含めた処理を行うことができるようにしたサーバーシステム
【請求項３】
地域や加入対象者、利用対象者を限定することにより、加入者・利用者各々がその普及に携わり、その利用者が本携帯システムを広告宣伝媒体として利用・拡販するにあたっては、検索表示を行ったときに自らのトップページに最初にアクセスされる機能を備えた情報サイトを管理するサーバーシステム
【発明の詳細な説明】
【技術分野】
【０００１】  本発明は、携帯電話を使った情報の送受信及び注文・予約を管理するシステムに関する。
【背景技術】
【０００２】  携帯電話を利用して優待情報を配信したり、注文をＷｅｂで行ったりできるシステムは既に存在している。
また、携帯電話を使って広告宣伝を行うシステムについても既に普及している。【０００３】  以下従来の優待情報配信システムについて説明する。従来は情報を得ようとする利用者は、携帯メールのアドレスを利用したい先に対し登録することで情報を受け取れる。【０００４】  また、従来の注文予約システムについては、Ｗｅｂを利用してはいるものの、スキャナーによる読み込みや、専用端末が必要であったり、バーコードなどを読み込ませたりしてそのシステム専用の方式を採用している。【０００５】  情報サイトについても、従来は検索サイトで様々な検索が可能であるが、範囲は広く、様々な情報を探すことはできるようになっている。表示順はアイウエオ順やＡＢＣ順で表示されるように出来ている。
【発明の開示】
【発明が解決しようとする課題】
【０００６】  以上述べた携帯電話利用のシステムについては、優待情報等の配信については利用登録先からの情報については自分の必要としない情報までも配信されてしまうことや、注文予約システムでは専用端末や専用コードが必要になること、そして情報サイトの検索順が、店などの加入者にとって自分の有利な条件で出てこないなどの問題点があった。【０００７】  本発明は、このような従来のシステムが有していた問題を解決しようとするものであり、加入者・利用者にとって双方にメリットがあるようにすることを目的とするものである。
【課題を解決するための手段】
【０００８】  本発明は、専用の管理サーバーを介し、顧客である利用者の携帯電話を利用することでこの課題の解決を実現している。【０００９】  まず、優待情報配信システムについては、一般消費者である利用者側から特売などの優待情報について条件を設定しておくようにできるので、不要な情報は配信されないようになる。
また、各店舗である加入者も一般消費者の希望する条件を確認のうえ有効な特売情報などの優待情報を配信できるうえ、メンテナンスも非常に簡単である。【００１０】  商品の購入、注文予約については、専用サーバーに商品構成を読み込ませておくので、専用バーコードやスキャナーによる読み込みは不要で、携帯電話でＷｅｂにアクセスし、単純に文字・数字を入力するだけで完了するようになっている。【００１１】  情報検索サイトについては、地域や加入対象者、利用対象者を限定することにより範囲限定のサイトとなり、加入者・利用者各々がその普及に携わることが可能となる。またその利用者が本携帯システムを広告宣伝媒体として利用・拡販するにあたっては、検索表示を行ったときに自らのトップページに最初にアクセスされる機能を備えているのでメリットがあるものになっている。
【発明の効果】
【００１２】  上述したように、本発明の管理サーバーシステムは、優待情報の場合には必要な情報が効果的に加入者から配信され、利用者の下に届く上、利用者にとっては条件設定で能動的に必要な情報の収集を図れるようになる。【００１３】  また商品購入や注文システムについても一般消費者の端末を利用するだけであるので、専用機械やスキャナーによるバーコードなどの読み込みが不要になる。【００１４】  情報検索サイトは、地域や範囲を限定することで、加入者・利用者、双方にとって非常に使い勝手のよいものになり、特に加入者が有利な宣伝広告をすることができるので非常にメリットが大きいうえ、優待利用のできる利用者にとってもその恩恵が還元されるだけにメリットが大となる。
【発明を実施するための最良の形態】
【００１５】  以下、本発明の実施の形態を図１〜図２に基づいて説明する。【００１６】  特に、検索画面については、図１の▲１▼のように店が検索された場合、その店から検索画面に顧客が入ると、参照元が一番に表示され、同業他社は表示されないようなシステムになっている。【００１７】  また、特売優待情報については、図２のように、一般消費者側、各店舗側から各々条件を設定でき、不要情報は送受信されないようになっており、管理画面も携帯電話で簡単に更新でき、メンテナンスが容易である。【００１８】  注文システムについては、専用端末を利用せずに、顧客である利用者側の携帯端末を利用するだけで注文、精算が可能なシステムを採用している。
【図面の簡単な説明】
【００１９】
【図１】  本発明の実施形態を示す検索画面
【図２】  同一般消費者・利用者が操作する画面構成
【符号の説明】
【００２０】  図１▲１▼地域を指定して検索した画面
図１▲２▼参照元からリンクをたどった場合の表示画面
図２各々の右に表示済
【図１】
2006024172.tif 000003
【図２】
2006024172.tif 000004